(57)【特許請求の範囲】
【請求項１】
コンデンサ取付け体にコンデンサを間接的に固定するための絶縁性のコンデンサ固定用保持具であって、コンデンサを挿抜可能なコンデンサ装着部、およびこのコンデンサ装着部に向けて変形可能な係合片を備えるコンデンサ受容体と、このコンデンサ受容体の外周側に装着される締め付けリングと、この締め付けリングおよび前記コンデンサ受容体のいずれかの側に形成された前記コンデンサ取付け体とのフランジ部とを有し、前記締め付けリングには、それを前記コンデンサ受容体上の装着位置から固定位置まで移動させたときに前記係合片を内側に押圧して変形させる押圧部を備え、前記コンデンサ受容体に変形可能な固定片、前記締め付けリングに固定片と嵌合する段差部、または前記締め付けリングに変形可能な固定片、前記コンデンサ受容体に固定片と嵌合する段差部を設け、前記締め付けリングを前記装着位置から前記固定位置まで移動させるときには固定片が押圧されて前記コンデンサ受容体と前記締め付けリングとの間から引っ込んで前記締め付けリングの移動を可能にし、前記締め付けリングを前記固定位置まで移動させたときに前記コンデンサ受容体と前記締め付けリングとの間に固定片が出現して他方側の段差部に自動的に引っ掛かる固定手段を備えることを特徴とするコンデンサ固定用保持具。
【発明の詳細な説明】
【０００１】
【産業上の利用分野】
本発明は、電源などのコンデンサ取付け体に対してコンデンサを絶縁性を確保しながら固定するためのコンデンサ固定用保持具に関するものである。
【０００２】
【従来の技術】
アルミニウム電解コンデンサ（以下、電解コンデンサという。）のうち、比較的大形の電解コンデンサでは、耐振動性などを確保する目的に、金属製のバンドなどを介して電源装置に固定している。ここで、電解コンデンサの金属ケースとバンドとの絶縁は、金属ケースに被覆した絶縁チューブによって確保していることから、絶縁チューブ自身の耐電圧に限界があることに加えて、バンドのエッジなどで絶縁チューブが破れると、耐電圧が著しく低下するという問題点がある。また、従来は、バンドをビスによって締め付けることにより、バンドを電解コンデンサに取り付けていたため、手間がかかるという問題点がある。
【０００３】
【発明が解決しようとする課題】
以上の問題点に鑑みて、本発明の課題は、樹脂などの絶縁材料からなり、しかも、コンデンサの取付けが容易で、かつ安定なコンデンサ固定用保持具を提供することにある。
【０００４】
【課題を解決するための手段】
上記課題を解決するために、本発明では、電源装置などのコンデンサ取付け体にコンデンサを間接的に固定するための絶縁性のコンデンサ固定用保持具であって、コンデンサを挿抜可能なコンデンサ装着部、およびこのコンデンサ装着部に向けて変形可能な係合片を備えるコンデンサ受容体と、このコンデンサ受容体の外周側に装着される締め付けリングと、この締め付けリングおよびコンデンサ受容体のいずれかの側に形成されたコンデンサ取付け体とのフランジ部とを有し、締め付けリングには、それをコンデンサ受容体上の装着位置から固定位置まで移動させたときに前記係合片を内側に押圧して変形させる押圧片を設け、前記コンデンサ受容体に変形可能な固定片、前記締め付けリングに固定片と嵌合する段差部、または前記締め付けリングに変形可能な固定片、前記コンデンサ受容体に固定片と嵌合する段差部を設け、前記締め付けリングを装着位置から固定位置まで移動させるときには固定片が押圧されて前記コンデンサ受容体と前記締め付けリングとの間から引っ込んで締め付けリングの移動を可能にし、締め付けリングを前記固定位置まで移動させたときに前記コンデンサ受容体と前記締め付けリングとの間に固定片が出現して他方側の段差部に自動的に引っ掛かる固定手段を備えることを特徴とするコンデンサ固定用保持具である。
【０００５】
また、前記固定手段は、前記コンデンサ受容体から外側に起こされた固定片であることを特徴とすることあることを特徴とするコンデンサ固定用保持具である。
また、前記固定手段は、前記締め付けリングから内側に起こされた固定片であることを特徴とするコンデンサ固定用保持具である。
【０００６】
【実施例】
図面を参照して、本発明の実施例を説明する。
【０００７】
〔実施例１〕
図１は、本実施例の固定用保持具を用いて、電解コンデンサを電源のシャーシに固定した構造をその一部を切り欠いて示す斜視図である。
【０００８】
電解コンデンサ５０（大形のアルミニウム電解コンデンサ）では、その封口板５５から１対の端子５３ａ、５３ｂが突出しており、端子５３ａ、５３ｂには、２本のブスバー６２ａ、６２ｂがビス５４ａ、５４ｂで固定されている。電解コンデンサ５０の側面部には、上端寄りの位置に凹部５２が形成されており、この凹部５２は、コンデンサケース（図示せず。）の側面にビーディング（絞り）加工によって形成された周溝が絶縁チューブ５６の表面にまで反映されたものである。
【０００９】
固定用保持具１０は、コンデンサ受容体７、締め付けリング８、およびコンデンサ受容体１２に形成したフランジ部９から構成されており、これらの構成を、図２ないし図４を参照して詳述する。
【００１０】
図２は、コンンデンサ受容体の平面図、図３は、図２のＤ−Ｄ′線におけるコンデンサ受容体の縦断面図、図４は、コンデンサ受容体に形成された係合片を拡大して示す縦断面図である。
【００１１】
これらの図において、コンデンサ受容体７は、全体として円筒形状を有する樹脂成形品であり、その内部が、電解コンデンサ５０を挿抜可能なコンデンサ装着部７１である。コンデンサ受容体７の上端側には、スリット７２によって１２分割された係合片７３が形成されている。係合片７３の内周面には、図４に示すように、先端寄りの位置に、内側に向けて張り出した係合用突起７３１が形成されており、その外周面（背面側）は、約５°のテーパ面７３２が形成されている。係合片７３の外周側における先端側には、突起７３３が形成されている。係合片７３は、図３および図４に直立した姿勢で示してあるが、図４に示すように、外側から内側に向けて押されると（矢印Ｅで示す。）、点線で示すように、前傾した姿勢に変形可能である。
【００１２】
再び、図３において、コンデンサ受容体７の外周面は、下端側から上端側に向かって、外径が９６．５ｍｍのストレートの下端側外面部７４、フランジ部９、係合片７３の基部に相当する中間外周部７６、係合片２３の外周面（テーパ面７３２および突起部７３３）に相当する上端側外周部７７になっている。なお、フランジ部９は、３方向に張り出しており、それぞれの位置にビス穴９１が形成されている。
【００１３】
本実施例では、図３に示すように、係合片７３の略中央部分に、基部を残して切り起こされた固定片７８が形成されており、この固定片７８は、図４に示すように、外側に向けて斜めに起こされている。
【００１４】
図５は、締め付けリングの平面図、図６は、締め付けリングの側面図、図７は、締め付けリングの底面図である。
【００１５】
これらの図において、締め付けリング８では、その上端側から１２個の押圧片８０が突出した構造になっており、この押圧片８０を通る位置における締め付けリング８の縦断面を図８に拡大して示す。
【００１６】
図８に示すように、締め付けリング８の内周面は、下端側から上端側に向かって、内径が９５．８ｍｍの下端側内面部８１、内径が９２．８ｍｍから９４．６ｍｍまで５°の角度をもって広がるテーパ面８２、および内径が９３．６ｍｍの上端側内面部８３になっている。
【００１７】
このように構成したコンデンサ受容体７、および締め付けリング８を用いて、電解コンデンサ５０をシャーシ６０に固定する方法を説明する。
【００１８】
まず、図９（ａ）に示すように、コンデンサ受容体７の上端側から締め付けリング８を嵌め込んで、コンデンサ受容体７の所定の位置（装着位置）に締め付けリング８を装着しておく。この状態で、固定片７８は、締め付けリング８に押されて内側にやや変形しているにすぎない。
【００１９】
次に、コンデンサ受容体７の下端側から電解コンデンサ５０を差し込んで、図１に示すように、コンデンサ受容体７の上端から端子５３ａ、５３ｂが突出させる。ここで、電解コンデンサ５０の差込み深さは、図９（ａ）に示すように、凹部５２に係合片７３の係合用突起７３１が対峙するように設定する。
【００２０】
この状態から、図９（ｂ）に示すように、締め付けリング８を装着位置から上方に引き上げる。この状態で、固定片７８は、締め付けリング８（押圧片８０）に押されて内側に変形し、引っ込んだ状態になる。
【００２１】
さらに、図９（ｃ）に示すように、締め付けリング８を固定位置まで引き上げると、係合片７３は、締め付けリング８の突起８３に押されて内側に傾く。その結果、係合用突起７３１は、電解コンデンサ５０の凹部５２に食い込み、電解コンデンサ５０は、コンデンサ受容体７の内部（コンデンサ装着部７１）に保持される。
【００２２】
同時に、固定片７８は、締め付けリング８のテーパ面８２から下方に外れて、形状復帰力によって、上端側が外側に張り出す。その結果、固定片７８の上端側は、締め付けリング８のテーパ面８２と下端側内面部８１との段差部に食い込む。このため、締め付けリング８は、固定片７８に引っ掛かって、振動が加わっても下方にずれないように固定される。このようにして、コンデンサ受容体７の外周面には、締め付けリング８を装着位置から固定位置まで移動させるときには内側に引っ込んで締め付けリング８の移動を可能にし、締め付けリング８を固定位置まで移動させたときに出現して締め付けリング８に自動的に引っ掛かる固定手段が構成されている。
【００２３】
しかる後に、図１に示すように、シャーシ６０の取付け孔６０ａに対して、固定用保持具１０に保持された電解コンデンサ５０を差し込み、ビス６６を用いて、固定用保持具１０をシャーシ６０に固定する。
【００２４】
このようにして、電解コンデンサ５０を固定用保持具１０を介して間接的に固定すると、絶縁チューブ５６の耐電圧にかかわらず、高い耐電圧を得ることができるとともに、電解コンデンサ５０の絶縁チューブ５６が損傷しても高い耐電圧を確保できる。また、絶縁チューブ５６を省略することもできる。
【００２５】
さらに、コンデンサ受容体７の内側に電解コンデンサ５０を保持するのに、コンデンサ受容体７に締め付けリング８を予め装着しておき、この状態から、締め付けリング８を引き上げるだけで、係合片７３の係合用突起７３１が電解コンデンサ５０の凹部５２に食い込み、電解コンデンサ５０を確実に保持する。
【００２６】
また、締め付けリング８は、固定片７８に引っ掛かって下方にずれることがない。従って、本例の固定用保持具１０によれば、車両用電源装置などのように、高い耐振動特性が要求される電源装置に電解コンデンサ５０を搭載するのに適している。しかも、コンデンサ受容体７の一部を切り起こして固定片７８を形成したため、固定手段を構成するために新たな部品を追加する必要がない。
【００２７】
さらに、コンデンサ受容体７に締め付けリング８を予め装着しておき、コンデンサ受容体７と締め付けリング８とを一体に取り扱える。
【００２８】
また、固定片７８を内側に押し込むと、締め付けリング８を自由に下げることが可能であるため、電解コンデンサ５０を交換するのも容易である。ここで、電解コンデンサ５０を交換する頻度が高いような場合には、固定片７８の数をたとえば、３、４片にしておき、片手で全ての固定片７８を内側に押し込めるようにしておく。
【００２９】
なお、本実施例では、固定片７８をコンデンサ受容体７の側に形成したが、逆に、締め付けリング８の側から固定片を起こし、コンデンサ受容体７の側に引っ掛かるようにしてもよい。この場合には、そこでの引っ掛かり状態を解除するときには、固定片をコンデンサ受容体７の側の凹部などから外側に引き出すことになる。
【００３０】
また、コンデンサ受容体７または締め付けリング８の側の一部を起こして固定片を形成し、この固定片を利用して、コンデンサ受容体７に嵌め込んだ締め付けリング８の装着位置や固定位置に対する固定手段（ストッパー）を構成すれば、コンデンサ受容体の内部に電解コンデンサを保持する際に、コンデンサ受容体の外周側に締め付けリングを嵌め込むような構造のコンデンサ固定用補助具に対して、その耐振動性を向上することができる。
【００３１】
【発明の効果】
以上のとおり、本発明のコンデンサ固定用保持具では、締め付けリングをコンデンサ受容体に装着しておき、そこから引き上げて、係合片をコンデンサの外周凹部に係合させるとともに、固定片が締め付けリングに自動的に引っ掛かるようになっている。従って、本発明によれば、コンデンサは、絶縁性の固定用保持具を介して固定されるため、高い絶縁性を確保できるとともに、その作業に工具が必要ない。また、締め付けリングは、固定片によって完全に固定されるので、振動などが加わっても、締め付けリングがずれることがない。さらに、締め付けリングをコンデンサ受容体に装着しておくことによって、一体にしておけるので、取扱が容易である。しかも、固定片を変形させれば、締め付けリングを移動させることもできるので、コンデンサの交換が容易である。
【００３２】
特に、コンデンサ受容体や締め付けリングの一部を起こして固定片を構成した場合には、固定手段を構成するために新たな部品を追加する必要がない。
【図面の簡単な説明】
【図１】本発明の実施例１に係るコンデンサ固定用保持具を用いて、電解コンデンサを電源装置のシャーシに固定した構造を部分的に切り欠いて示す斜視図である。
【図２】図１に示すコンデンサ固定用保持具のコンデンサ受容体の平面図である。
【図３】図２のＤ−Ｄ′線におけるコンデンサ受容体の縦断面図である。
【図４】図３に示すコンデンサ受容体の係合片を拡大して示す縦断面図である。
【図５】図１に示すコンデンサ固定用保持具の締め付けリングの平面図である。
【図６】図５に示す締め付けリングの側面図である。
【図７】図５に示す締め付けリングの底面図である。
【図８】図６に示す押圧片を通る位置における締め付けリングの断面図である。
【図９】（ａ）〜（ｃ）は、実施例１に係るコンデンサ固定用保持具を用いて、電解コンデンサを電源装置のシャーシに固定する方法の説明図である。
【符号の説明】
１０・・・固定用保持具（コンデンサ固定用補助具）
７・・・コンデンサ受容体
８・・・締め付けリング
９・・・フランジ部（取付け部）
７１・・・コンデンサ装着部
７３・・・係合片
５０・・・電解コンデンサ
５２・・・凹部
５６・・・絶縁チューブ
６０・・・シャーシ（コンデンサ取付け体）
７８・・・固定片（固定手段）
８０・・・押圧片（押圧部）
７３１・・・係合用突起
７３２・・・テーパ面
【図１】
0003578413.tif 000002
【図２】
0003578413.tif 000003
【図３】
0003578413.tif 000004
【図４】
0003578413.tif 000005
【図５】
0003578413.tif 000006
【図６】
0003578413.tif 000007
【図７】
0003578413.tif 000008
【図８】
0003578413.tif 000009
【図９】
0003578413.tif 000010